(57)【要約】【課題】デザイン上の制限が少なく、また、デザインを容易に変更することができるダッシュボードマットを提供すること。【解決手段】マット本体１０１の表面１０１ａには、ヤシの木の模型１０６を着脱自在に取り付けることができるようにされており、かつ、ヤシの木の模型１０６に関連して、海１０２と、波１０３と、砂浜１０４と、が描かれていることを特徴とするダッシュボードマット１００を提供する。【選択図】図４
2004161194.tif 000002
【特許請求の範囲】
【請求項１】
マット本体と、前記マット本体の背面に自動車のダッシュボードに着脱自在に取り付けることができる着脱部材と、を有するダッシュボードマットであって、
前記マット本体の表面には、立体的装飾体を着脱自在に取り付けることができる取り付け部材が設けられており、かつ、前記立体的装飾体に関連した背景が描かれていることを特徴とするダッシュボードマット。
【請求項２】
前記立体的装飾体は、弾性樹脂により形成されていることを特徴とする請求項１に記載のダッシュボードマット。
【発明の詳細な説明】
【０００１】
【発明の属する技術分野】
本発明は、ダッシュボードマットに関する。
【０００２】
【従来の技術】
自動車のダッシュボードには、ダッシュボードに直射日光が当たることを防止するため、また、ダッシュボードの反射光がフロントガラスに映り込まないようにするため、ダッシュボードに敷くダッシュボードマットが使用されている。
【０００３】
従来のダッシュボードマットは、特開平７−３２９５４号公報に記載されているように、布地を使用して平面状に形成されていた。
【０００４】
【特許文献１】
特開平７−３２９５４号公報
【０００５】
【発明が解決しようとする課題】
上述したように、平面状にダッシュボードマットを形成したのでは、デザイン上の制限が大きく、また、デザインを変更するためには、ダッシュボードマット自体を取り替える必要があった。
【０００６】
そこで、本発明は、デザイン上の制限が少なく、また、デザインを容易に変更することができるダッシュボードマットを提供することを目的とする。
【０００７】
【課題を解決するための手段】
以上の課題を解決するため、本発明は、マット本体と、前記マット本体の背面に自動車のダッシュボードに着脱自在に取り付けることができる着脱部材と、を有するダッシュボードマットであって、前記マット本体の表面には、立体的装飾体を着脱自在に取り付けることができる取り付け部材が設けられており、かつ、前記立体的装飾体に関連した背景が描かれていることを特徴とするダッシュボードマットを提供する。
【０００８】
マット本体については、容易に洗濯することができるように布により形成することが望ましい。
【０００９】
このようなマット本体の背面には、面ファスナー等の着脱部材を設けておくことにより、自動車のダッシュボードに着脱自在に取り付けることができる。
【００１０】
また、マット本体の表面には、立体的装飾体を着脱自在に取り付けることができる取り付け部材が設けられている。
【００１１】
例えば、立体的装飾体には面ファスナーの鉤面部を取り付けておき、また、マット本体の表面には面ファスナーの輪面部を取り付けておくことにより、この立体的装飾体をマット本体の表面に着脱自在に取り付けることができる。
【００１２】
このように、マット本体の表面に立体的装飾体を着脱自在とすることができる取り付け部材を設けておくことにより、この立体的装飾体をマット本体のいずれの場所に取り付けるかを選択することで、ダッシュボードマットのデザインを変更することができる。
【００１３】
ここで、立体的装飾体については、自動車に乗車する人の安全を考慮して、弾性樹脂により形成することが望ましい。
【００１４】
また、マット本体の表面には、この立体的装飾体に関連した背景が描かれている。
【００１５】
例えば、立体的装飾体をヤシの木とした場合には、背景は海岸とし、立体的装飾体を観覧車等の娯楽用乗り物とした場合には、背景は遊園地とし、立体的装飾体を自動車とした場合には、背景はサーキットや駐車場とし、立体的装飾体をゴルフスタイルの人形とした場合には、背景はゴルフ場とし、立体的装飾体を動物とした場合には、背景は草原とすればよい。
【００１６】
【発明の実施の形態】
図１は、本発明の一実施形態に係るダッシュボードマット１００の上方斜視図である。
【００１７】
ダッシュボードマット１００は、マット本体１０１の背面（背面にあるため、図示せず）に面ファスナーの鉤面部を取り付けることにより形成されており、車のダッシュボードに面ファスナーの輪面部を取り付けておくことで、このダッシュボードマット１００を車のダッシュボードに着脱自在に取り付けることができるようにされている。
【００１８】
マット本体１０１の表面１０１ａには、海１０２と、波１０３と、砂浜１０４と、が描かれており海岸の風景となっている。
【００１９】
砂浜１０４が描かれている部分には、面ファスナーの輪面部１０５が設けられており、図２に表されているようなヤシの木の模型１０６の底面１０７に面ファスナーの鉤面部（底面１０７にあるため図示せず。）を取り付けておくことで、このヤシの木の模型１０６をマット本体１０１の表面１０１ａに着脱自在に取り付けることができるようにされている。
【００２０】
なお、本実施形態においては、面ファスナーの輪面部１０５をマット本体１０１の表面１０１ａの砂浜１０４が描かれている部分に９つ設けたが、この面ファスナーの輪面部１０５を設ける位置及び数については、ダッシュボードマット１００のデザインに合わせて適時選択することができる。
【００２１】
ヤシの木の模型１０６は弾性樹脂により形成されており、車に乗った人にぶつかっても、その人が怪我をしないようにされている。
【００２２】
なお、本実施形態では、ダッシュボードマット１００に、車の空調の吹き出し口用の孔１０８及び切り欠き１０９が設けられており、また、車のメーター類が形成されている部分の凸状に合わせたマチ部１１０が設けられている。
【００２３】
これらの孔１０８、切り欠き１０９及びマチ部１１０は、車種毎に空調の吹き出し口及びメーター類が形成されている部分の凸状の位置及び大きさが異なるため、特定の車種毎に位置と大きさを変える必要がある。
【００２４】
なお、図３に表されているダッシュボードマット２００のように、これらの孔１０８、切り欠き１０９及びマチ部１１０を設けることなく、単に、車のダッシュボードの上面に載せることができるような矩形状に形成することもできる。
【００２５】
以上のように構成されるダッシュボードマット１００は、図４に表されているように、車のダッシュボード１２０の上面１２０ａに載せることにより、車内の雰囲気を変えることができるようになる。
【００２６】
【発明の効果】
以上のように、本発明に係るダッシュボードマットを構成したので、立体的なデザインが可能で、デザイン上の制限が少なく、また、ダッシュボードマット自体や立体的装飾体を取り替えることで、デザインを容易に変更することができる。
【図面の簡単な説明】
【図１】一実施形態に係るダッシュボードマット１００の正面図。
【図２】ヤシの木の模型１０６の上方斜視図。
【図３】ダッシュボードマット１００の変形例を表す正面図。
【図４】ダッシュボードマット１００の使用例を表す上方斜視図。
【符号の説明】
１００、２００  ダッシュボードマット
１０１  マット本体
１０５  面ファスナーの輪面部
１０６  ヤシの木の模型
【図１】
2004161194.tif 000003
【図２】
2004161194.tif 000004
【図３】
2004161194.tif 000005
【図４】
2004161194.tif 000006